(57)【要約】【課題】ＲＦＩＤタグを内蔵した物品に対するパーソナライズ処理を簡単化するための技術を提供する。【解決手段】物品１は、ＲＦＩＤタグ２２を内蔵した物品本体としてのストラップ２と、ストラップ２を収容する付属物としての外箱３と、を備える。外箱３には、ストラップ２に内蔵されたＲＦＩＤタグ２２のＩＤに対してユーザ情報を登録するための専用の登録ＷｅｂページのＵＲＬ情報が、二次元コード３０で印刷されている。【選択図】図１
0003171042.tif 000002
【実用新案登録請求の範囲】
【請求項１】
ＲＦＩＤタグを内蔵した物品本体と、
前記物品本体を収容し、又は、前記物品本体に取り付けられる付属物と、
を備え、
前記付属物には、前記物品本体に内蔵されたＲＦＩＤタグのＩＤに対してユーザ情報を登録するための専用の登録ＷｅｂページのＵＲＬ情報が印刷されている、
ことを特徴とするＲＦＩＤタグを内蔵した物品。
【請求項２】
前記ＵＲＬ情報は、前記物品本体に内蔵されたＲＦＩＤタグのＩＤ、又は、そのＩＤに対して一意に割り当てられた識別情報を含んでいる、
ことを特徴とする請求項１に記載のＲＦＩＤタグを内蔵した物品。
【請求項３】
前記付属物は、前記物品本体の包装である、
ことを特徴とする請求項１又は２に記載のＲＦＩＤタグを内蔵した物品。
【請求項４】
前記ＵＲＬ情報は、前記登録Ｗｅｂページにアクセスする携帯電話又は携帯端末によって読み取り可能な形式で前記付属物に印刷されている、
ことを特徴とする請求項１〜３のうちいずれか１項に記載のＲＦＩＤタグを内蔵した物品。
【請求項５】
前記ＵＲＬ情報は、二次元コードの形式で前記付属物に印刷されている、
ことを特徴とする請求項４に記載のＲＦＩＤタグを内蔵した物品。
【考案の詳細な説明】
【技術分野】
【０００１】
本考案は、ＲＦＩＤタグを内蔵する物品に関し、特に、インターネットと連動した販促やマーケティングに好適に利用されるグッズに関するものである。
【背景技術】
【０００２】
従来より、来店の動機付けや販売促進を目的として、登録会員のメールアドレスに対し最新情報やクーポン情報などを配信するサービスが広く行われている。また最近では、ＩＣカードや携帯電話などに内蔵されたＲＦＩＤ（Radio-frequency identification）タグ（ＩＣタグ、ＩＣチップとも呼ばれる）をマーケティングや集客に利用する提案もなされている（例えば、特開２００８−２８２２９１号公報参照）。
【考案の概要】
【考案が解決しようとする課題】
【０００３】
本考案者らは、ＲＦＩＤタグとインターネットを連動させた新しい情報配信サービスとして、次のような仕組みを考案している。例えば、店舗、イベント会場、街角などで、ＲＦＩＤタグが埋め込まれたグッズを配布又は販売する。そして、ユーザが店舗やブース等に実際に足を運び、そこに設置されたリーダ／ライタにグッズをかざすと、予め登録されたメールアドレス、ＳＮＳやＴｗｉｔｔｅｒのアカウント、掲示板等に対し店舗情報やクーポンなどを自動で配信する、というものである。
【０００４】
ところで、上記のような仕組みを実際に運用するにあたっては、グッズに埋め込まれたＲＦＩＤタグのＩＤに対し、メールアドレスやアカウント等のユーザ情報をひも付けする作業（これをパーソナライズ処理と呼ぶ。）をいかに簡単化できるか、というのが利用者獲得のための重要なポイントとなる。もし、パーソナライズ処理のために、店舗等に設置された専用端末を使ってユーザ情報を入力したり、あるいは登録申込用紙に必要事項を記入して店舗スタッフに登録処理を依頼したりしなければならないとなると、その作業を煩雑に感じるユーザや、個人情報の漏えいを心配するユーザは、利用を躊躇してしまう可能性があるからである。
【０００５】
本考案は、このような実情に鑑みてなされたものであって、その目的とするところは、ＲＦＩＤタグを内蔵した物品に対するパーソナライズ処理を簡単化するための技術を提供することにある。
【課題を解決するための手段】
【０００６】
上記目的を達成するために本考案は、以下の構成を採用する。すなわち、
本考案に係る物品は、ＲＦＩＤタグを内蔵した物品本体と、物品本体を収容し、又は、物品本体に取り付けられる付属物と、を備え、付属物には、物品本体に内蔵されたＲＦＩＤタグのＩＤに対してユーザ情報を登録するための専用の登録ＷｅｂページのＵＲＬ情報が印刷されている、ことを特徴とするＲＦＩＤタグを内蔵した物品である。
【０００７】
このような構成によれば、物品本体の付属物に印刷されたＵＲＬ情報を使って専用の登録Ｗｅｂページにアクセスすることができるため、当該物品本体に内蔵されたＲＦＩＤタグ（以下、単に「内蔵タグ」とも呼ぶ。）のパーソナライズ処理を、ユーザ自身が簡単に行えるようになる。
【０００８】
ここで、付属物に印刷されたＵＲＬ情報には、物品本体の内蔵タグのＩＤが含まれていることが好ましい。あるいは、ＩＤそのものではなく、ＩＤに対して一意に割り当てられ
た識別情報（つまり、登録Ｗｅｂページを提供するサーバ側で、内蔵タグのＩＤを復元可能な情報）をＵＲＬ情報に埋め込んでもよい。
【０００９】
これにより、当該ＵＲＬ情報を使って登録Ｗｅｂページにアクセスするだけで、サーバに対し内蔵タグのＩＤを通知することができる。そうすると、例えば、内蔵タグのＩＤごとに登録Ｗｅｂページを生成したり、あるいは、登録Ｗｅｂページ中の入力欄に自動で内蔵タグのＩＤを入力したり、といったサーバ処理が実現できる。一般にＩＤは多数の桁から構成されるため、これを手入力するのは極めて面倒である。この点、上記のようなサーバ処理を行えば、ユーザ自身がＩＤを意識したり入力したりする必要がなくなるため、内蔵タグのパーソナライズ処理を一層簡単化できる。
【００１０】
ＵＲＬ情報が印刷される付属物は、物品本体を収容し、又は、物品本体に取り付けられる物であればどのようなものでもよい。すなわち、物品本体とＵＲＬ情報とが一体となって譲渡・配布・貸与等されればよい。付属物の典型例は物品本体の包装（外箱、外袋）であるが、物品本体に取り付けられたラベルや帯、物品本体に貼り付けられたシールのようなものでもよい。
【００１１】
ＵＲＬ情報はどのような形式で印刷されていてもよいが、好ましくは、登録Ｗｅｂページにアクセスする携帯電話又は携帯端末（スマートフォン含む。）によって読み取り可能な形式で付属物に印刷されているとよく、より好ましくは、ＱＲコード（登録商標）のような二次元コードの形式で印刷されているとよい。
【００１２】
携帯電話又は携帯端末でＵＲＬ情報を読み取ることができれば、ユーザ入力の手間を省くことができ、パーソナライズ処理をさらに一層簡単化することができる。
【考案の効果】
【００１３】
本考案によれば、ＲＦＩＤタグを内蔵した物品に対するパーソナライズ処理を簡単化することができる。
【図面の簡単な説明】
【００１４】
【図１】本考案に係る物品の一例を示す図である。
【図２】本考案に係る物品のパーソナライズ処理を示す図である。
【図３】本考案に係る物品の利用例を示す図である。
【図４】本考案に係る物品の他の例を示す図である。
【図５】本考案に係る物品の他の例を示す図である。
【考案を実施するための形態】
【００１５】
以下、図面を参照して、この考案の好適な実施の形態を例示的に詳しく説明する。
【００１６】
［物品の構成］
図１は、本考案の実施形態に係るＲＦＩＤタグ内蔵物品の一例を示す図である。ここでは、ノベルティグッズとして配布又は販売される携帯電話用ストラップに本考案を適用した例について説明する。
【００１７】
図１に示すように、本実施形態の物品１は、ストラップ２とそれを収容するための外箱３とから構成され、配布又は販売の際には、ストラップ２を外箱３で包装した状態で取引が行われるものである。この例においては、「ストラップ２」と「外箱３」がそれぞれ本考案における「物品本体」と「付属物」に対応している。
【００１８】
ストラップ２は、携帯電話等に取り付けられる部分であるストラップ部２０と、樹脂製
の根付部２１とからなる。そして、根付部２１には、ＲＦＩＤタグ２２が埋め込まれている。
【００１９】
ＲＦＩＤタグ２２とは、ＩＣチップとアンテナから構成される小型の回路モジュールであって、専用のリーダ／ライタとの間で近距離無線通信（非接触通信）による情報の受け渡しが可能なものである。ＩＣチップ内のメモリには、タグごとに一意に割り振られた固有のＩＤ情報の他、必要な情報が格納されている。ここでは、リーダからの電波をエネルギー源として動作するパッシブタイプのＲＦＩＤタグを利用する。なお、ＲＦＩＤタグの代表的なものとしてはＦｅｌｉｃａ（登録商標）チップなどが知られているが、これに限らず、少なくともＩＤ情報の記憶と近距離無線通信によるＩＤ情報の送信とが可能であれば、どのようなタイプのＲＦＩＤタグを用いてもよい。
【００２０】
一方、外箱３には、ＱＲコード（登録商標）と呼ばれる二次元コード３０が印刷されている。この二次元コード３０は、ＷｅｂページのＵＲＬ（Uniform Resource Locator）情報を符号化したものであり、例えば携帯電話や携帯端末のコードリーダ機能を用いて撮像することで、ＵＲＬ情報に復号可能な記号である。
【００２１】
図１には、二次元コード３０に含まれるＵＲＬ情報の例として、
http://www.tag.jp/toroku?id=12345
が示されている。このＵＲＬ情報において、「http://www.tag.jp/toroku」の部分は、ＲＦＩＤタグ２２のＩＤに対してユーザ情報を登録するための専用の登録ＷｅｂページのＵＲＬであり、これに続く「id=12345」の部分は、ＲＦＩＤタグ２２のＩＤ（この例では、「１２３４５」）を示すパラメータである。
【００２２】
このように、二次元コード３０は、外箱３に収容されるストラップ２に埋め込まれたＲＦＩＤタグ２２（のＩＤ）と一対一に対応するものであるため、ストラップ２を配布・販売する過程で、ストラップ２と二次元コード３０とが分離したり取り違えられたりすることがあってはならない。その一方で、後述するパーソナライズ処理が終われば二次元コード３０は必要なくなることを考えると、ストラップ２そのものに印刷するのは（デザインの制約を生むという点からも）避けたほうが望ましい。それゆえ、本例のように、ストラップ２の外箱３に二次元コード３０を印刷するという方法は、これらの問題を解決する好ましい形態といえる。なお、二次元コード３０の内容はストラップごとにすべて異なるため、二次元コード３０が印刷されたシールを外箱３に貼付するという方法が実用的である。
【００２３】
［利用例］
次に、図２及び図３を参照して、本考案に係る物品の利用例について説明する。ここでは、Ｆａｃｅｂｏｏｋ等のＳＮＳ（Social Networking Service）と呼ばれるインターネ
ットサービスと連動した販促用グッズを紹介する。例えば、店舗、イベント会場、街角などで、図１に示した外箱３入りのストラップ２を広く配布する。そして、ユーザが店舗やブース等に実際に足を運び、そこに設置されたリーダ／ライタにストラップ２をかざすと、予め登録されたＦａｃｅｂｏｏｋアカウントに対し店舗情報やクーポンなどを自動で配信する、というサービスを想定している。
【００２４】
（パーソナライズ）
本考案に係る物品は、ユーザ自身がストラップ２のＲＦＩＤタグ２２のパーソナライズ処理を簡単に行えるような工夫をしたものである。図２を参照しながら、パーソナライズ処理の手順を説明する。
【００２５】
（１）まず、ユーザは、携帯電話４のカメラで外箱３の二次元コード３０を撮影し、コ
ードリーダで読み込む。これにより、ＵＲＬ情報が携帯電話４に自動で入力される。
（２）「接続」ボタンを押すと、携帯電話４のブラウザ機能がＵＲＬ情報で特定されたＷｅｂサイト（専用サーバ５）へアクセスする。
【００２６】
（３）専用サーバ５は、携帯電話４より受信したＵＲＬ情報から、パーソナライズの対象となるＲＦＩＤタグのＩＤ「１２３４５」を取得すると、このタグＩＤに対応する専用の登録Ｗｅｂページを生成し、携帯電話４に送信する。
（４）ユーザが、携帯電話４の登録画面において、Ｆａｃｅｂｏｏｋアカウント（メールアドレス）とパスワードを入力し、「ログイン」ボタンを押すと、それらの情報が専用サーバ５に送られる。
【００２７】
（５）専用サーバ５は、ＦａｃｅｂｏｏｋサービスのＡＰＩ（Application Program Interface）を使って、ユーザにより入力されたアカウントとパスワードが正当なものであ
るかを確認する。
（６）正当なアカウントとパスワードであることが確認できたら、専用サーバ５は、ＦａｃｅｂｏｏｋアカウントとタグＩＤとを対応付けて、データベース５０に登録する。
（７）〜（９）その後、このＦａｃｅｂｏｏｋアカウントに対して情報配信やウォール投稿を可能とするため、必要に応じて、Ｆａｃｅｂｏｏｋの設定変更を行ってもよい。
以上で、ストラップ２のＲＦＩＤタグのパーソナライズ処理が完了する。
【００２８】
（情報配信）
次に、図３を参照して、ストラップ２によるタッチと情報配信とを連動させる手順を説明する。
【００２９】
（１）ユーザが、店舗「ＳＨＯＰ  ＸＸＸ」を訪れ、そこに設置されているリーダ／ライタ７にストラップ２をタッチする。
（２）そうすると、リーダ／ライタ７がストラップ２からタグＩＤを読み取り、その情報を専用サーバ５に送信する。このとき、タグＩＤとともに、店舗ＩＤのような店舗を特定する情報も同時に送信する。
【００３０】
（３）専用サーバ５は、データベース５０を参照して、受信したタグＩＤに対応付けられたＦａｃｅｂｏｏｋアカウントを読み出す。また、データベース５０より、当該店舗の情報、広告、クーポンなどを取得する。
（４）そして、専用サーバ５は、Ｆａｃｅｂｏｏｋアカウント宛に、店舗「ＳＨＯＰ  ＸＸＸ」に関するメッセージを送信したり、ウォールへの投稿を行う。この例では、Ｆａｃｅｂｏｏｋウォールへの投稿が行われており、このユーザが現在「ＳＨＯＰ  ＸＸＸ」にいることや、その店舗の情報などを他のＦａｃｅｂｏｏｋユーザも閲覧できるようになっている。これにより、登録ユーザのみならず、その友人・知人などへの広告効果も期待できる。
【００３１】
［物品の他の例］
図１では、本考案を外箱３入りのストラップ２として具体化した例を示したが、本考案の適用範囲はこれに限らない。以下、本考案の適用例をいくつか示す。
【００３２】
図４は、リストバンド２ａに本考案を適用した例である。すなわち、この物品１ａは、物品本体としてのリストバンド２ａと、付属物としてのラベル３ａとからなる。リストバンド２ａにはＲＦＩＤタグ２２が埋め込まれており、ラベル３ａには二次元コード３０が印刷されている。ラベル３ａは紐でリストバンド２ａに取り付けられているため、配布時の一体性が保証される。パーソナライズ完了後は、紐を切ってラベル３ａを取り外せばよい。
【００３３】
図５は、ＩＣカード２ｂに本考案を適用した例である。すなわち、この物品１ｂは、物品本体としてのＩＣカード２ｂと、付属物としてのシールラベル３ｂとからなる。ＩＣカード２ｂにはＲＦＩＤタグ２２が埋め込まれており、シールラベル３ｂには二次元コード３０が印刷されている。シールラベル３ｂはＩＣカード２ｂの表面に貼り付けられているため、配布時の一体性が保証される。パーソナライズ完了後は、シールラベル３ｂを剥がせばよい。
【００３４】
［利点］
以上述べた本考案に係る物品によれば、付属物（外箱３、ラベル３ａ、シールラベル３ｂなど）に印刷された二次元コード３０を使って専用の登録Ｗｅｂページにアクセスすることができるため、物品本体（ストラップ２、リストバンド２ａ、ＩＣカード２ｂ）の内蔵タグのパーソナライズ処理を、ユーザ自身が簡単に行うことができる。
【００３５】
しかも、二次元コード３０のＵＲＬ情報の中にタグＩＤを埋め込み、専用サーバ５に対して自動でタグＩＤを通知するようにしたため、ユーザ自身がタグＩＤを意識したり入力したりする必要がなくなり、パーソナライズ処理の一層の簡単化が図られている。
【符号の説明】
【００３６】
１，１ａ，１ｂ：物品
２：ストラップ、２０：ストラップ部、２１：根付部
２ａ：リストバンド
２ｂ：ＩＣカード
２２：ＲＦＩＤタグ
３：外箱
３０：二次元コード
４：携帯電話
５：専用サーバ、５０：データベース
６：Ｆａｃｅｂｏｏｋサーバ
７：リーダ／ライタ
【図１】
0003171042.tif 000003
【図２】
0003171042.tif 000004
【図３】
0003171042.tif 000005
【図４】
0003171042.tif 000006
【図５】
0003171042.tif 000007